(57)【要約】  本発明は、マルチメディア通信システムにおけるアプリケーション階層-順方向誤り訂正(ＡＬ-ＦＥＣ)パケットを送信及び受信する方法及び装置を提供する。ＡＬ-ＦＥＣパケット送信方法において、ＡＬ-ＦＥＣパケット送信装置は、ＡＬ-ＦＥＣパケットを生成し、ＡＬ-ＦＥＣパケットをＡＬ-ＦＥＣパケット受信装置に送信し、ＡＬ-ＦＥＣパケットの各々は、ＡＬ-ＦＥＣ符号語シンボルとＡＬ-ＦＥＣヘッダーを含み、ＡＬ-ＦＥＣ符号語シンボルは、ＡＬ-ＦＥＣ符号語ブロックに含まれるＡＬ-ＦＥＣ符号語シンボルのうちいずれか一つであり、ＡＬ-ＦＥＣヘッダーは、ＡＬ-ＦＥＣ符号語ブロックに含まれるＡＬ-ＦＥＣ符号語シンボルのうち、ＡＬ-ＦＥＣヘッダーが挿入されるＡＬ-ＦＥＣ符号語シンボルの順序を表す順序情報を含む。
2014533032.tif 000002
【特許請求の範囲】
【請求項１】
マルチメディア通信システムにおけるアプリケーション階層-順方向誤り訂正(ＡＬ-ＦＥＣ)パケット送信装置によりＡＬ-ＦＥＣパケットを送信する方法であって、
ＡＬ-ＦＥＣパケットを生成するステップと、
前記ＡＬ-ＦＥＣパケットをＡＬ-ＦＥＣパケット受信装置に送信するステップと、を有し、
前記ＡＬ-ＦＥＣパケットの各々は、ＡＬ-ＦＥＣ符号語シンボルとＡＬ-ＦＥＣヘッダーを含み、前記ＡＬ-ＦＥＣ符号語シンボルは、ＡＬ-ＦＥＣ符号語ブロックに含まれるＡＬ-ＦＥＣ符号語シンボルのうちいずれか一つであり、
前記ＡＬ-ＦＥＣヘッダーは、前記ＡＬ-ＦＥＣ符号語ブロックに含まれるＡＬ-ＦＥＣ符号語シンボルのうち、前記ＡＬ-ＦＥＣヘッダーが挿入されるＡＬ-ＦＥＣ符号語シンボルの順序を示す順序情報を含むことを特徴とする方法。
【請求項２】
前記順序情報は、関連ＡＬ-ＦＥＣ符号語シンボルの順序を表すシリアル番号(ＳＮ)を含み、
前記ＳＮは、前記ＡＬ-ＦＥＣ符号語ブロックに含まれるすべてのＡＬ-ＦＥＣ符号語シンボルに対して順次に割り当てられ、あるいは前記ＳＮは、前記ＡＬ-ＦＥＣ符号語ブロックに含まれるＡＬ-ＦＥＣ符号語シンボルのうちタイプ別に分類されるＡＬ-ＦＥＣ符号語シンボルに対して順次に割り当てられることを特徴とする請求項１に記載の方法。
【請求項３】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項２に記載の方法。
【請求項４】
前記順序情報は、関連ＡＬ-ＦＥＣ符号語シンボルの順序を表すシリアル番号(ＳＮ)を表し、
前記ＡＬ-ＦＥＣパケット送信装置がＡＬ-ＦＥＣ符号語パケットを生成し、パンクチャリング情報に基づいてパンクチャリング動作を遂行して前記ＡＬ-ＦＥＣパケットを生成する場合、前記ＳＮは、前記ＡＬ-ＦＥＣ符号語ブロックに含まれるすべてのＡＬ-ＦＥＣ符号語シンボルに対して順次に割り当てられ、あるいは前記ＳＮは、前記ＡＬ-ＦＥＣ符号語ブロックに含まれるＡＬ-ＦＥＣ符号語シンボルのうちタイプ別に分類されるＡＬ-ＦＥＣ符号語シンボルに対して順次に割り当てられ、
前記ＡＬ-ＦＥＣ符号語パケットの各々は、関連されるＡＬ-ＦＥＣ符号語シンボルとＡＬ-ＦＥＣヘッダーを含むことを特徴とする請求項１に記載の方法。
【請求項５】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項４に記載の方法。
【請求項６】
前記順序情報は、関連ＡＬ-ＦＥＣ符号語シンボルの順序を表すシリアル番号(ＳＮ)を含み、
前記ＡＬ-ＦＥＣパケット送信装置がパンクチャリング情報に基づいて特定のＡＬ-ＦＥＣ符号語シンボルに対してＳＮを割り当てる場合、前記ＳＮは、前記ＡＬ-ＦＥＣ符号語ブロックに含まれる前記ＡＬ-ＦＥＣ符号語シンボルのうち前記特定のＡＬ-ＦＥＣ符号語シンボルに対して順次に割り当てられ、あるいは前記ＳＮは、前記特定のＡＬ-ＦＥＣ符号語シンボルのうちタイプ別に分類されるＡＬ-ＦＥＣ符号語シンボルに対して順次に割り当てられることを特徴とする請求項１に記載の方法。
【請求項７】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項６に記載の方法。
【請求項８】
マルチメディア通信システムにおけるアプリケーション階層-順方向誤り訂正(ＡＬ-ＦＥＣ)パケット送信装置からＡＬ-ＦＥＣ受信装置によりＡＬ-ＦＥＣパケットを受信する方法であって、
ＡＬ-ＦＥＣパケット受信するステップを有し、
前記ＡＬ-ＦＥＣパケットの各々は、ＡＬ-ＦＥＣ符号語シンボルとＡＬ-ＦＥＣヘッダーを含み、前記ＡＬ-ＦＥＣ符号語シンボルは、ＡＬ-ＦＥＣ符号語ブロックに含まれるＡＬ-ＦＥＣ符号語シンボルのうち一つであり、
前記ＡＬ-ＦＥＣヘッダーは、前記ＡＬ-ＦＥＣ符号語ブロックに含まれるＡＬ-ＦＥＣ符号語シンボルのうち、前記ＡＬ-ＦＥＣヘッダーが挿入されるＡＬ-ＦＥＣ符号語シンボルの順序を表す順序情報を含むことを特徴とする方法。
【請求項９】
前記順序情報は、関連ＡＬ-ＦＥＣ符号語シンボルの順序を表すシリアル番号(ＳＮ)を含み、
前記ＳＮは、前記ＡＬ-ＦＥＣ符号語ブロックが含むすべてのＡＬ-ＦＥＣ符号語シンボルに対して順次に割り当てられ、あるいは前記ＳＮは、前記ＡＬ-ＦＥＣ符号語ブロックに含まれるＡＬ-ＦＥＣ符号語シンボルのうち、タイプ別に分類されるＡＬ-ＦＥＣ符号語シンボルに対して順次に割り当てられることを特徴とする請求項８に記載の方法。
【請求項１０】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項９に記載の方法。
【請求項１１】
前記順序情報は、関連ＡＬ-ＦＥＣ符号語シンボルの順序を表すシリアル番号(ＳＮ)を含み、
前記ＡＬ-ＦＥＣパケット送信装置がＡＬ-ＦＥＣ符号語パケットを生成し、パクチャリング情報に基づいてパンクチャリング動作を遂行して前記ＡＬ-ＦＥＣパケットを生成する場合、前記ＳＮは、前記ＡＬ-ＦＥＣ符号語ブロックが含むすべてのＡＬ-ＦＥＣ符号語シンボルに対して順次に割り当てられ、あるいは前記ＳＮは、前記ＡＬ-ＦＥＣ符号語ブロックに含まれるＡＬ-ＦＥＣ符号語シンボルのうちタイプ別に分類されるＡＬ-ＦＥＣ符号語シンボルに対して順次に割り当てられ、
前記ＡＬ-ＦＥＣ符号語パケットの各々は、関連したＡＬ-ＦＥＣ符号語シンボルとＡＬ-ＦＥＣヘッダーを含むことを特徴とする請求項８に記載の方法。
【請求項１２】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項１１に記載の方法。
【請求項１３】
前記順序情報は、関連ＡＬ-ＦＥＣ符号語シンボルの順序を表すシリアル番号(ＳＮ)を含み、
前記ＡＬ-ＦＥＣパケット送信装置がパンクチャリング情報に基づいて特定のＡＬ-ＦＥＣ符号語シンボルに対してＳＮを割り当てる場合、前記ＳＮは、前記ＡＬ-ＦＥＣ符号語ブロックに含まれる前記ＡＬ-ＦＥＣ符号語シンボルのうち前記特定のＡＬ-ＦＥＣ符号語シンボルに対して順次に割り当てられ、あるいは前記ＳＮは、前記特定のＡＬ-ＦＥＣ符号語シンボルのうちタイプ別に分類されるＡＬ-ＦＥＣ符号語シンボルに対して順次に割り当てられることを特徴とする請求項８に記載の方法。
【請求項１４】
前記ＡＬ-ＦＥＣヘッダーは、前記ＳＮがタイプ別に分類される前記ＡＬ-ＦＥＣ符号語シンボルに対して順次に割り当てられる場合、前記ＡＬ-ＦＥＣパケットに含まれるＡＬ-ＦＥＣ符号語シンボルのタイプを表す情報をさらに含むことを特徴とする請求項１３に記載の方法。
【請求項１５】
請求項１乃至７のうちいずれか一つの方法を遂行するＡＬ-ＦＥＣパケット送信装置。
【請求項１６】
請求項８乃至１４のうちいずれか一つの方法を遂行するＡＬ-ＦＥＣパケット受信装置。
【発明の詳細な説明】
【技術分野】
【０００１】
本発明は、一般的にマルチメディア通信システムにおけるパケットを送受信する装置及び方法に関するもので、特にマルチメディア通信システムにおいてアプリケーション階層-順方向誤り訂正(ＡＬ-ＦＥＣ)パケットを送受信する装置及び方法に関する。
【背景技術】
【０００２】
ＭＰＥＧ(Moving  Picture  Experts  Group)メディア転送(以下、ＭＭＴ)システムのようなマルチメディア通信システムは、 ＨＤ(High  Definition)コンテンツ、ＵＨＤ(Ultra  High  Definition)コンテンツのような大容量コンテンツを多様に提供する。
【０００３】
マルチメディア通信システムにおいて、コンテンツの多様化とＨＤ及びＵＨＤコンテンツのような大容量コンテンツの増加により、データ輻輳(data  congestion）が重大な問題となっている。そのため、信号送信装置により送信されるコンテンツは、信号受信装置に全く送信されず、コンテンツの一部はルート上で損失される。
【０００４】
一般に、データは、パケット単位で伝送され、それによってデータの損失は、送信パケット単位で発生する。したがって、ネットワーク上で送信パケットが損失される場合、信号受信装置は、損失された送信パケットを受信できないので、損失された送信パケット内のデータの意味が定められない。その結果、オーディオの品質低下、ビデオの画質劣化、ビデオの画面割れ、字幕欠落、及びファイルの損失などが発生する。
【０００５】
したがって、ＭＭＴシステムは、チャンネル状態に従ってネットワーク上で発生し得る誤りによる情報データの損失を減少させるために多様な誤り制御方式(error-control  scheme)を使用して全体システムの信頼度を向上させることができる。誤り制御方式のうちの代表的なものは、ＡＬ-ＦＥＣ方式である。
【０００６】
ＭＭＴシステムのようなマルチメディア通信システムは、サービスが要求するデータ伝送率及び遅延時間によって異なる符号語長と符号化率(code  rate)を有する順方向誤り訂正(ＦＥＣ)符号の使用が要求される。
【０００７】
一般的なＡＬ-ＦＥＣ方式を使用する場合、信号送信及び受信装置は、符号語長と符号化率によって異なるＦＥＣ符号を使用しなければならないので、ＭＭＴシステムは、その複雑度が増加し、それによってその実現に困難さがあるという問題点があった。
【発明の概要】
【発明が解決しようとする課題】
【０００８】
したがって、上記した従来技術の問題点を解決するために、本発明の目的は、マルチメディア通信システムにおけるＡＬ-ＦＥＣパケット送受信装置及び方法を提供することにある。
【０００９】
本発明の他の目的は、マルチメディア通信システムにおいて、多様な符号語長を有するＦＥＣ符号をサポートするＡＬ-ＦＥＣパケット送受信装置及び方法を提供することにある。
【００１０】
また、本発明の目的は、マルチメディア通信システムいおいて、多様な符号化率を有するＦＥＣ符号をサポートするＡＬ-ＦＥＣパケット送受信装置及び方法を提供することにある。
【００１１】
さらに、本発明の目的は、マルチメディア通信システムにおけるパケット単位パンクチャリング(puncturing)をサポートするＡＬ-ＦＥＣパケット送受信装置及び方法を提供することにある。
【００１２】
本発明の目的は、マルチメディア通信システムにおいて、パンクチャリング情報を送信しなくてもＡＬ-ＦＥＣパケットを正常に送受信する装置及び方法を提供することにある。
【課題を解決するための手段】
【００１３】
上記のような目的を達成するために、本発明の一態様によれば、マルチメディア通信システムにおけるアプリケーション階層-順方向誤り訂正(ＡＬ-ＦＥＣ)パケット送信装置が提供される。ＡＬ-ＦＥＣパケット送信装置は、ＡＬ-ＦＥＣパケットを生成するＡＬ-ＦＥＣパケット生成器と、ＡＬ-ＦＥＣパケットをＡＬ-ＦＥＣパケット受信装置に送信する送信器とを含み、ＡＬ-ＦＥＣパケットの各々は、ＡＬ-ＦＥＣ符号語シンボルとＡＬ-ＦＥＣヘッダーを含み、ＡＬ-ＦＥＣ符号語シンボルは、ＡＬ-ＦＥＣ符号語ブロックに含まれるＡＬ-ＦＥＣ符号語シンボルのうちいずれか一つであり、ＡＬ-ＦＥＣヘッダーは、ＡＬ-ＦＥＣ符号語ブロックに含まれるＡＬ-ＦＥＣ符号語シンボルのうち、ＡＬ-ＦＥＣヘッダーが挿入されるＡＬ-ＦＥＣ符号語シンボルの順序を表す順序情報を含む。
【００１４】
本発明の他の態様によれば、マルチメディア通信システムにおけるアプリケーション階層-順方向誤り訂正(ＡＬ-ＦＥＣ)パケット受信装置が提供される。ＡＬ-ＦＥＣ受信装置は、ＡＬ-ＦＥＣパケット受信する受信器を含み、ＡＬ-ＦＥＣパケットの各々は、ＡＬ-ＦＥＣ符号語シンボルとＡＬ-ＦＥＣヘッダーを含み、ＡＬ-ＦＥＣ符号語シンボルは、ＡＬ-ＦＥＣ符号語ブロックに含まれるＡＬ-ＦＥＣ符号語シンボルのうち一つであり、ＡＬ-ＦＥＣヘッダーは、ＡＬ-ＦＥＣ符号語ブロックに含まれるＡＬ-ＦＥＣ符号語シンボルのうち、ＡＬ-ＦＥＣヘッダーが挿入されるＡＬ-ＦＥＣ符号語シンボルの順序を表す順序情報を含む。
【００１５】
また、本発明の他の態様によれば、マルチメディア通信システムにおけるアプリケーション階層-順方向誤り訂正(ＡＬ-ＦＥＣ)パケット送信装置によりＡＬ-ＦＥＣパケットを送信する方法が提供される。その方法は、ＡＬ-ＦＥＣパケットを生成するステップと、ＡＬ-ＦＥＣパケットをＡＬ-ＦＥＣパケット受信装置に送信するステップとを有し、ＡＬ-ＦＥＣパケットの各々は、ＡＬ-ＦＥＣ符号語シンボルとＡＬ-ＦＥＣヘッダーを含み、ＡＬ-ＦＥＣ符号語シンボルは、ＡＬ-ＦＥＣ符号語ブロックに含まれるＡＬ-ＦＥＣ符号語シンボルのうちいずれか一つであり、ＡＬ-ＦＥＣヘッダーは、ＡＬ-ＦＥＣ符号語ブロックに含まれるＡＬ-ＦＥＣ符号語シンボルのうち、ＡＬ-ＦＥＣヘッダーが挿入されるＡＬ-ＦＥＣ符号語シンボルの順序を表す順序情報を含む。
【００１６】
さらに、本発明の他の態様によれば、マルチメディア通信システムにおけるアプリケーション階層-順方向誤り訂正(ＡＬ-ＦＥＣ)パケット送信装置からＡＬ-ＦＥＣ受信装置によりＡＬ-ＦＥＣパケットを受信する方法が提供される。その方法は、ＡＬ-ＦＥＣパケット受信するステップを有し、ＡＬ-ＦＥＣパケットの各々は、ＡＬ-ＦＥＣ符号語シンボルとＡＬ-ＦＥＣヘッダーを含み、ＡＬ-ＦＥＣ符号語シンボルは、ＡＬ-ＦＥＣ符号語ブロックに含まれるＡＬ-ＦＥＣ符号語シンボルのうち一つであり、ＡＬ-ＦＥＣヘッダーは、ＡＬ-ＦＥＣ符号語ブロックに含まれるＡＬ-ＦＥＣ符号語シンボルのうち、ＡＬ-ＦＥＣヘッダーが挿入されるＡＬ-ＦＥＣ符号語シンボルの順序を表す順序情報を含む。
【発明の効果】
【００１７】
本発明は、マルチメディア通信システムにおいて、多様な符号語長を有するＦＥＣ符号をサポートするＡＬ-ＦＥＣパケットの送受信を可能にする効果を有する。また、本発明は、マルチメディア通信システムにおいて、多様な符号化率を有するＦＥＣ符号をサポートするＡＬ-ＦＥＣパケットの送受信を可能にする効果を有する。さらに、本発明は、マルチメディア通信システムにおいて、パケット単位のパンクチャリングをサポートするＡＬ-ＦＥＣパケット送受信を可能にする効果を有する。なお、本発明は、マルチメディア通信システムにおいて、パンクチャリング情報を送信しなくてもＡＬ-ＦＥＣパケットを送受信することができる効果を有する。
【００１８】
本発明の上記及び他の様相、特徴、及び利点は、以下のような添付図面とともに続く詳細な説明から、より明白になるはずである。
【図面の簡単な説明】
【００１９】
【図１】本発明の実施形態によるＭＭＴシステムにおけるＡＬ-ＦＥＣパケット送信装置の内部を示すブロック構成図である。
【図２】図１のＡＬ-ＦＥＣエンコーダ１１１の内部を示すブロック構成図である。
【図３】図１のＡＬ-ＦＥＣパケット生成器１１３の内部を示すブロック構成図である。
【図４】本発明の実施形態によるＭＭＴシステムにおいて、ＡＬ-ＦＥＣパケット受信装置の内部を示すブロック構成図である。
【図５】本発明の実施形態によるＭＭＴシステムのＡＬ-ＦＥＣパケット送信装置の動作プロセスを示すフローチャートである。
【図６】本発明の実施形態によるＭＭＴシステムのＡＬ-ＦＥＣパケット受信装置の動作プロセスを示すフローチャートである。
【発明を実施するための形態】
【００２０】
以下、本発明の望ましい実施形態を添付の図面を参照して詳細に説明する。
【００２１】
したがって、本発明の実施形態では、理解を助けるために多様で詳細な説明を含む。しかしながら、これら詳細な説明は、ほとんど典型的な例として考えられる。また、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２２】
本発明の一実施形態では、マルチメディア通信システムにおけるアプリケーション階層-順方向誤り訂正(ＡＬ-ＦＥＣ)パケットを送受信する装置及び方法を提供する。
【００２３】
本発明の他の実施形態では、マルチメディア通信システムで多様な符号語長を有するＦＥＣ符号をサポートするＡＬ-ＦＥＣパケット送受信装置及び方法を提供する。
【００２４】
さらに、本発明の実施形態は、マルチメディア通信システムで多様な符号化率を有するＦＥＣ符号をサポートするＡＬ-ＦＥＣパケット送受信装置及び方法を提供する。
【００２５】
本発明の他の実施形態は、マルチメディア通信システムでパケット単位パンクチャリング(puncturing)をサポートするＡＬ-ＦＥＣパケット送受信装置及び方法を提供する。
【００２６】
本発明の他の実施形態は、パンクチャリング情報の送信なしにＡＬ-ＦＥＣパケットを正常に送受信する装置及び方法を提供する。
【００２７】
以下、本発明の実施形態では、マルチメディア通信システム、例えばＭＭＴシステムを参照して説明する。しかしながら、マルチメディア通信システムは、ＭＭＴシステムだけでなく、ＬＴＥ(Long-Term Evolution)移動通信システム、ＬＴＥ-Ａ(Long-Term Evolution Advanced)移動通信システム、及びＩＥＥＥ(Institute  of  Electrical  and  Electronics  Engineers)８０２．１６ｍ通信システムのうちいずれか一つを含む他のシステムであることは、本発明の技術分野における通常の知識を持つ者には明らかである。
【００２８】
本発明の実施形態によるＭＭＴシステムでは、信号送信装置は、多様な符号語長及び符号化率を有するＦＥＣ符号をサポートするために、パンクチャリング方式、特に、パンクチャリング動作がパケット単位で実行されるパンクチャリング方式を使用する。
【００２９】
現在、物理階層で使用されるＦＥＣ方式は、シンボル単位でパンクチャリングが遂行されるパンクチャリング方式を使用する。しかしながら、物理階層におけるＭＭＴシステムのようなマルチメディアシステムの使用を意図するＡＬ-ＦＥＣ方式の使用を考慮するパンクチャリング方式に対しては全く考慮されていない。
【００３０】
したがって、本発明では、ＡＬ-ＦＥＣ方式を使用しつつ、パケット単位のパンクチャリングを可能にして多様な符号語長及び符号化率を有するＦＥＣ符号をサポートする方法を提供する。
【００３１】
また、本発明では、信号送信装置側で別途のパンクチャリング情報を送信しなくても、信号受信装置側で正常にＦＥＣ符号を復号化できるＡＬ-ＦＥＣパケット送受信を可能にする方法を提供する。
【００３２】
図１は、本発明の実施形態によるＭＭＴシステムにおけるＡＬ-ＦＥＣパケット送信装置の内部を示すブロック構成図である。
【００３３】
図１を参照すると、ＡＬ-ＦＥＣパケット送信装置は、ＡＬ-ＦＥＣエンコーダ１１１、ＡＬ-ＦＥＣパケット生成器１１３、マルチプレクサ１１５、送信器１１７、及びＡＬ-ＦＥＣ制御情報生成器１１９を含む。
【００３４】
情報語ブロックが発生する場合、情報語ブロックは、ＡＬ-ＦＥＣエンコーダ１１１に入力される。情報語ブロックは、ｋ個のシンボルを含む。ＡＬ-ＦＥＣ制御情報生成器１１９で生成されたＡＬ-ＦＥＣ制御情報がＡＬ-ＦＥＣエンコーダ１１１に入力され、ＡＬ-ＦＥＣ制御情報は、(ｋ，ｎ，ｍ)情報とＦＥＣ符号タイプ情報を含む。ここで、ｋは、情報語ブロックに含まれる情報語シンボルの個数を示し、ｎは符号語ブロック、すなわちＡＬ-ＦＥＣ符号語ベクトルに含まれる符号語シンボル、すなわちＡＬ-ＦＥＣ符号語シンボルの個数を示し、ｍはパリティブロックに含まれるパリティシンボルの個数を示し、ＦＥＣ符号タイプ情報は、ＦＥＣ符号のタイプを意味する。例えば、ＦＥＣ符号のタイプは、低密度パリティ検査(Low  Density  Parity  Check：ＬＤＰＣ)符号、畳み込み(convolutional)符号、ターボ(turbo)符号、及びリードソロモン(ＲＳ)符号のうちいずれか一つであり得る。
【００３５】
ＡＬ-ＦＥＣエンコーダ１１１は、ＡＬ-ＦＥＣ制御情報に基づいて情報語ブロックを符号化してＡＬ-ＦＥＣ符号語ブロックを生成し、生成したＡＬ-ＦＥＣ符号語ブロックをＡＬ-ＦＥＣパケット生成器１１３に出力する。ＡＬ-ＦＥＣエンコーダ１１１の内部構成及びその動作について、図２を参照して説明する。
【００３６】
ＡＬ-ＦＥＣパケット生成器１１３は、ＡＬ-ＦＥＣエンコーダ１１１から出力されるＡＬ-ＦＥＣ符号語ブロックにヘッダーを挿入してＡＬ-ＦＥＣパケットを生成してマルチプレクサ１１５に出力する。ＡＬ-ＦＥＣパケット生成器１１３の内部構成及びその動作については、図３を参照して説明する。
【００３７】
マルチプレクサ１１５は、ＡＬ-ＦＥＣパケット生成器１１３から出力されるＡＬ-ＦＥＣパケットとＡＬ-ＦＥＣ制御情報生成器１１９から出力されるＡＬ-ＦＥＣ制御情報を予め設定された多重化方式により多重化してチャンネル信号を生成し、そのチャンネル信号を送信器１１７に出力する。図１では、ＡＬ-ＦＥＣパケットが送信されるチャンネルはＡＬ-ＦＥＣ制御情報が送信されるチャンネルと異なり、ＡＬ-ＦＥＣ制御情報は、誤りの最小発生可能性、すなわち最大信頼性を有するチャンネルを介して送信されると仮定する。しかしながら、ＡＬ-ＦＥＣパケットとＡＬ-ＦＥＣ制御情報が同一のチャンネルを介して送信される場合、ＡＬ-ＦＥＣパケットの送信される時区間(time interval)がＡＬ-ＦＥＣ制御情報が送信される時区間と異なることは、当該技術分野における通常の知識を有する者には明らかである。
【００３８】
送信器１１７は、マルチプレクサ１１５から出力されるチャンネル信号を予め設定された送信方式に従って処理して信号受信装置に送信する。
【００３９】
図１では、ＡＬ-ＦＥＣ制御情報生成器１１９は、ＡＬ-ＦＥＣ制御情報を生成し、ＡＬ-ＦＥＣ制御情報をＡＬ-ＦＥＣエンコーダ１１１及びマルチプレクサ１１５に出力する。しかしながら、ＡＬ-ＦＥＣエンコーダ１１１とマルチプレクサ１１５は、ＡＬ-ＦＥＣ制御情報を予め格納でき、この場合、ＡＬ-ＦＥＣ制御情報生成器１１９は実現されないことは、当業者には理解できることである。
【００４０】
図１では、マルチプレクサ１１５は、ＡＬ-ＦＥＣパケットとＡＬ-ＦＥＣ制御情報を多重化してチャンネル信号を生成し、送信器１１７は、このチャンネル信号を送信する。しかしながら、送信器１１７は、多重化動作なしにＡＬ-ＦＥＣパケットとＡＬ-ＦＥＣ制御情報を送信でき、この場合、マルチプレクサ１１５は実現されないことは、当業者には理解できることである。
【００４１】
ＡＬ-ＦＥＣエンコーダ１１１、ＡＬ-ＦＥＣパケット生成器１１３、マルチプレクサ１１５、送信器１１７、及びＡＬ-ＦＥＣ制御情報生成器１１９は、別途のユニットとして図１に示され、これは、単に説明の便宜のためのものであることはもちろんである。言い換えれば、ＡＬ-ＦＥＣエンコーダ１１１、ＡＬ-ＦＥＣパケット生成器１１３、マルチプレクサ１１５、送信器１１７、及びＡＬ-ＦＥＣ制御情報生成器１１９は、単一ユニットに組み込まれ得る。
【００４２】
図２は、図１のＡＬ-ＦＥＣエンコーダ１１１の内部を示すブロック構成図である。
【００４３】
図２を参照すると、ＡＬ-ＦＥＣエンコーダ１１１は、パリティブロック生成器２１１及び符号語ブロック生成器２１３を含む。
【００４４】
パリティブロック生成器２１１は、入力された情報語ブロックをＡＬ-ＦＥＣ制御情報に従ってパリティブロックに変換し、このパリティブロックを符号語ブロック生成器２１３に出力する。ＡＬ-ＦＥＣ制御情報は(ｋ，ｎ，ｍ)情報を含み、情報語ブロックはｋ個の情報語シンボルを含むため、パリティブロックはｍ個のパリティシンボルを含む。
【００４５】
符号語ブロック生成器２１３は、情報語ブロックとパリティブロックを含むＡＬ-ＦＥＣ符号語ブロックを生成し、生成したＡＬ-ＦＥＣ符号語ブロックをＡＬ-ＦＥＣパケット生成器１１３に出力する。ＡＬ-ＦＥＣ符号語ブロックは、ｎ個のＡＬ-ＦＥＣ符号語シンボルを含む。ＡＬ-ＦＥＣ符号語シンボルの各々は、情報語シンボルとパリティシンボルのうちいずれか一つであり得る。
【００４６】
パリティブロック生成器２１１と符号語ブロック生成器２１３が別途のユニットとして図２に示されているが、これは、単に説明の便宜のためのものであることが理解できる。言い換えれば、パリティブロック生成器２１１と符号語ブロック生成器２１３は、単一ユニットに組み込まれることが可能である。
【００４７】
図３は、図１のＡＬ-ＦＥＣパケット生成器１１３の内部を示すブロック構成図である。
【００４８】
図３を参照すると、ＡＬ-ＦＥＣパケット生成器１１３は、ＡＬ-ＦＥＣヘッダー挿入器３１１、パンクチャ３１３、及びパンクチャリング情報生成器３１５を含む。
【００４９】
ＡＬ-ＦＥＣヘッダー挿入器３１１は、ＡＬ-ＦＥＣエンコーダ１１１から出力されるＡＬ-ＦＥＣ符号語ブロックに含まれるｎ個のＡＬ-ＦＥＣ符号語シンボルの各々にＡＬ-ＦＥＣヘッダーを挿入してｎ個のＡＬ-ＦＥＣ符号語パケットを生成し、ｎ個のＡＬ-ＦＥＣ符号語パケットをパンクチャ３１３に出力する。ＡＬ-ＦＥＣ符号語パケットのうち、ＡＬ-ＦＥＣヘッダーとＡＬ-ＦＥＣ情報語シンボルを含むＡＬ-ＦＥＣ符号語パケットは‘ＡＬ-ＦＥＣソースパケット’と称され、ＡＬ-ＦＥＣヘッダーとＡＬ-ＦＥＣパリティシンボルを含むＡＬ-ＦＥＣ符号語パケットは‘ＡＬ-ＦＥＣパリティパケット’と称される。したがって、ＡＬ-ＦＥＣ符号語パケットは、ＡＬ-ＦＥＣソースパケットとＡＬ-ＦＥＣパリティパケットのうちいずれか一つであり得る。
【００５０】
ＡＬ-ＦＥＣソースパケットに含まれるＡＬ-ＦＥＣヘッダーは、信号受信装置において、ＡＬ-ＦＥＣソースパケットに含まれたＡＬ-ＦＥＣ情報語シンボルに含まれる符号語ブロック及び符号語ブロックに含まれるＡＬ-ＦＥＣ情報語シンボルが配列される正確な位置を検出するために必要な情報を含む。ＡＬ-ＦＥＣパリティパケットに含まれるＡＬ-ＦＥＣヘッダーは、信号受信装置において、ＡＬ-ＦＥＣパリティパケットに含まれるＡＬ-ＦＥＣパリティシンボルに含まれる符号語ブロック及び符号語ブロックに含まれるＡＬ-ＦＥＣパリティシンボルが配置される正確な位置を検出するために必要な情報を含む。ＡＬ-ＦＥＣソースパケットは複数のＡＬ-ＦＥＣ情報語シンボルを含み、ＡＬ-ＦＥＣパリティパケットは複数のＡＬ-ＦＥＣパリティシンボルを含むことは、当業者には理解できることである。便宜上、本発明では、ＡＬ-ＦＥＣソースパケットは１個のＡＬ-ＦＥＣ情報語シンボルを含み、ＡＬ-ＦＥＣパリティパケットは１個のＡＬ-ＦＥＣパリティシンボルを含むと仮定する。
【００５１】
ＡＬ-ＦＥＣヘッダー挿入器３１１から出力されるＡＬ-ＦＥＣ符号語パケットの個数はｎである。信号受信装置でＡＬ-ＦＥＣ符号語パケットに含まれるＡＬ-ＦＥＣ符号語シンボルの位置を獲得可能にするＡＬ-ＦＥＣヘッダー構成方法について、次に説明する。
【００５２】
信号受信装置は、ＡＬ-ＦＥＣ符号語パケットに含まれるＡＬ-ＦＥＣ符号語シンボルが含まれるＡＬ-ＦＥＣ符号語ブロックをＡＬ-ＦＥＣヘッダーに含まれる他の情報を用いて、あるいは比較的簡単な計算動作を実行することによって検出できると仮定する。ＡＬ-ＦＥＣヘッダーは、シリアル番号(ＳＮ)を含み、ＡＬ-ＦＥＣヘッダー挿入器３１１は、第１のＳＮ割り当て方式と第２のＳＮ割り当て方式のうちいずれか一つを使用してＳＮを割り当てることができる。
【００５３】
第一に、ＡＬ-ＦＥＣヘッダー挿入器３１１で第１のＳＮ割り当て方式を使用してＳＮを割り当てる方法について説明する。
【００５４】
ＡＬ-ＦＥＣ符号語ブロックは、ｎ個のＡＬ-ＦＥＣ符号語シンボルを含み、それによって、ＡＬ-ＦＥＣヘッダー挿入器３１１は、ｎ個のＡＬ-ＦＥＣ符号語シンボルに順次にＳＮを割り当てる。すなわち、ＳＮ＝１は、第１のＡＬ-ＦＥＣ符号語シンボルに割り当てられ、ＳＮ＝２は第２のＡＬ-ＦＥＣ符号語シンボルに割り当てられ、このように、ＳＮ＝ｎは、第ｎのＡＬ-ＦＥＣ符号語シンボルに割り当てられる。
【００５５】
第二に、ＡＬ-ＦＥＣヘッダー挿入器３１１で第２のＳＮ割り当て方式を使用するＳＮの割り当て方法について説明する。
【００５６】
ＡＬ-ＦＥＣ符号語ブロックがｋ個のＡＬ-ＦＥＣ情報語シンボルとｍ個のＡＬ-ＦＥＣパリティシンボルを含む場合、ＡＬ-ＦＥＣヘッダー挿入器３１１は、ＳＮ＝１，２，…，ｋをＡＬ-ＦＥＣ情報語シンボルに割り当て、ＳＮ＝ｋ＋１，ｋ＋２，…，ｎをＡＬ-ＦＥＣパリティシンボルに割り当てる。ここで、ｍ＝ｎ−ｋである。すなわち、ＡＬ-ＦＥＣヘッダー挿入器３１１は、全体ＡＬ-ＦＥＣ符号語シンボルに対するものでなく、タイプ別に分類されるＡＬ-ＦＥＣ符号語シンボルにＳＮを割り当てる。ＡＬ-ＦＥＣヘッダー挿入器３１１は、ＡＬ-ＦＥＣ情報語シンボルからＳＮを割り当て始めるが、ＡＬ-ＦＥＣパリティシンボルからＳＮを割り当て始めることができ、ＳＮ割り当て順序は、信号送信装置と信号受信装置との間で予め定められることは、当業者には明らかである。
【００５７】
ＡＬ-ＦＥＣヘッダー挿入器３１１が第２のＳＮ割り当て方式を使用してＳＮを割り当てる場合、ＡＬ-ＦＥＣソースパケットに含まれるヘッダーは、ＡＬ-ＦＥＣソースパケットがＡＬ-ＦＥＣ情報語シンボルを含むことを表す情報をさらに含み、ＡＬ-ＦＥＣパリティパケットに含まれるヘッダーは、ＡＬ-ＦＥＣパリティパケットがＡＬ-ＦＥＣパリティシンボルを含むことを表す情報をさらに含む。例えば、ＡＬ-ＦＥＣソースパケットがＡＬ-ＦＥＣ情報語シンボルを含むことを表す情報及びＡＬ-ＦＥＣパリティパケットがＡＬ-ＦＥＣパリティシンボルを含むことを表す情報は、ペイロード識別子(ＩＤ)を通じて伝送され、ＡＬ-ＦＥＣヘッダーは、ペイロードＩＤをさらに含む。
【００５８】
例えば、ペイロードＩＤの値が０である場合、ヘッダーを含むパケットはＡＬ-ＦＥＣソースパケットであり、ペイロードＩＤの値が１である場合、ヘッダーを含むパケットはＡＬ-ＦＥＣパリティパケットである。すなわち、ＡＬ-ＦＥＣヘッダー挿入器３１１が第２のＳＮ割り当て方式を使用してＳＮを割り当てる場合、ＡＬ-ＦＥＣ符号語シンボルの各々に(ペイロードＩＤ，ＳＮ)を含むＡＬ-ＦＥＣヘッダーが挿入される。
【００５９】
すなわち、例えば、(０，ＳＮ＝１)を示すＡＬ-ＦＥＣヘッダーが第１のＡＬ-ＦＥＣ情報語シンボルに挿入され、(０，ＳＮ＝２)を示すＡＬ-ＦＥＣヘッダーが第２のＡＬ-ＦＥＣ情報語シンボルに挿入される場合、(０，ＳＮ＝ｋ)を表すＡＬ-ＦＥＣヘッダーは、ｋ番目のＡＬ-ＦＥＣ情報語シンボルに挿入される。すなわち、例えば、(１，ＳＮ＝１)を表すＡＬ-ＦＥＣヘッダーが第１のＡＬ-ＦＥＣパリティシンボルに挿入され、(１，ＳＮ＝２)を表すＡＬ-ＦＥＣヘッダーが第２のＡＬ-ＦＥＣパリティシンボルに挿入される場合、(１，ＳＮ＝ｋ)を表すＡＬ-ＦＥＣヘッダーがｋ番目のＡＬ-ＦＥＣパリティシンボルに挿入される。
【００６０】
(ｎ，ｋ，ｍ)はＡＬ-ＦＥＣ制御情報に含まれるが、信号受信装置において、(ｎ，ｋ，ｍ)を迅速に獲得するために、(ｎ，ｋ，ｍ)がＡＬ-ＦＥＣ符号語パケットに含まれるＡＬ-ＦＥＣヘッダーに挿入されることは、当業者には明らかである。
【００６１】
(ｎ，ｋ，ｍ）がＡＬ-ＦＥＣ符号語パケットに含まれるＡＬ-ＦＥＣヘッダーに挿入される場合、信号受信装置により、ＡＬ-ＦＥＣ符号語パケットに含まれるＡＬ-ＦＥＣ符号語シンボルの位置を獲得する方法について、次に説明する。
【００６２】
(１，ＳＮ＝２)を表すＡＬ-ＦＥＣヘッダーを含むＡＬ-ＦＥＣ符号語パケットを受信すると、信号受信装置は、ＡＬ-ＦＥＣ符号語パケットが第(ｋ＋２)のＡＬ-ＦＥＣ符号語シンボルに関連したＡＬ-ＦＥＣパリティシンボルを含むことを検出する。
【００６３】
一方、ＡＬ-ＦＥＣが転送プロトコルの一部であるため、ＡＬ-ＦＥＣヘッダーで要求される内容(features)は、転送プロトコルのヘッダーで要求される内容と重なり得る。例えば、ペイロードＩＤのような情報は、ＡＬ-ＦＥＣパリティパケットに供給されるサービス品質(ＱｏＳ)より高いＱｏＳ要求条件がＡＬ-ＦＥＣソースパケットに割り当てられる方式を使用して転送プロトコルで使われることができる。この場合、階層間の役割分担の面で、ペイロードＩＤのような情報は、ＡＬ-ＦＥＣヘッダーでなく、プロトコルヘッダーに含まれることが望ましいこともある。この場合、信号受信装置は、ＡＬ-ＦＥＣヘッダーでペイロードＩＤが省略されても、プロトコルヘッダーからペイロードＩＤに対応する情報を獲得して使用することができる。
【００６４】
パンクチャ３１３は、ＡＬ-ＦＥＣヘッダー３１１から出力されるｎ個のＡＬ-ＦＥＣ符号語パケットを入力し、パンクチャリング情報生成器３１５から出力されるパンクチャリング情報に従ってｎ個のＡＬ-ＦＥＣ符号語パケットのうち関連ＡＬ-ＦＥＣ符号語パケットをパンクチャリングし、残りのＡＬ-ＦＥＣ符号語パケットをマルチプレクサ１１５に出力する。パンクチャ３１３から出力されるＡＬ-ＦＥＣ符号語パケットは、‘ＡＬ-ＦＥＣパケット’と称され、パンクチャリングされるＡＬ-ＦＥＣ符号語パケットの個数がｐである場合、パンクチャ３１３は、ｎ-ｐ個のＡＬ-ＦＥＣパケットを出力する。
【００６５】
パンクチャ３１３のパンクチャリング動作の実行により、ＡＬ-ＦＥＣパケット送信装置は、多様な符号語長及び符号化率を有するＦＥＣ符号をサポートするＡＬ-ＦＥＣパケットの送信及び受信を可能にする。本発明の実施形態では、ＡＬ-ＦＥＣパケット送信装置がパンクチャリング動作に関するパンクチャリング情報をＡＬ-ＦＥＣパケット受信装置に送信しなくても、ＡＬ-ＦＥＣパケット受信装置は、情報語ブロックを回復することができる。
【００６６】
本発明の実施形態において、ＡＬ-ＦＥＣパケット送信装置は、パンクチャリング情報を送信せず、それによって、パンクチャリング情報送信によるリソース浪費及びシグナリングオーバーヘッドを防止することができる。また、パンクチャリング情報は、ＦＥＣ符号の特性、チャンネル状態、及び受信器のバッファ容量に従って決定されることは、当該技術分野における通常の知識を持つ者には明らかである。
【００６７】
図３では、パンクチャリング情報生成器３１５は、パンクチャリング情報を生成してパンクチャ３１３に出力する。しかしながら、パンクチャ３１３がパンクチャリング情報を予め格納でき、この場合に、パンクチャリング情報生成器３１５が実現されないことは、当業者には明らかである。
【００６８】
ＡＬ-ＦＥＣパケット送信装置は、ＡＬ-ＦＥＣパケットを生成する前にパンクチャリングされるＡＬ-ＦＥＣパリティシンボルをわかり、それによってＡＬ-ＦＥＣヘッダー挿入器３１１は、パンクチャリングされるＡＬ-ＦＥＣパリティを考慮してＳＮを割り当てることができる。すなわち、ＡＬ-ＦＥＣヘッダー挿入器３１１は、ＡＬ-ＦＥＣ符号語ブロックに含まれるＡＬ-ＦＥＣ符号語シンボルのうち、パンクチャリングされるＡＬ-ＦＥＣ符号語シンボルを除いてＡＬ-ＦＥＣ符号語シンボルにＳＮを割り当てる。この場合、パンクチャ３１３がパンクチャリング動作を実行しなくても、ＡＬ-ＦＥＣエンコーダ１１１及びＡＬ-ＦＥＣヘッダー挿入器３１１は、パンクチャ３１３で遂行されるパンクチャリング動作を遂行する。
【００６９】
図３に示されていないが、ＡＬ-ＦＥＣパケット生成器は、以後の追加的送信に対してパンクチャ３１３がパンクチャリングするＡＬ-ＦＥＣ符号語パケットを格納する格納部を含んでもよい。
【００７０】
ＡＬ-ＦＥＣヘッダー挿入器３１１、パンクチャ３１３、及びパンクチャリング情報生成器３１５は、別途のユニットとして図３に示されているが、これは、単に説明の便宜のためのものであることは明らかである。言い換えれば、ＡＬ-ＦＥＣヘッダー挿入器３１１、パンクチャ３１３、及びパンクチャリング情報生成器３１５は、単一ユニットに組み込まれることができる。
【００７１】
図４は、本発明の実施形態によるＭＭＴシステムにおけるＡＬ-ＦＥＣパケット受信装置の内部を示すブロック構成図である。
【００７２】
図４を参照すると、ＡＬ-ＦＥＣパケット受信装置は、受信器４１１、デマルチプレクサ４１３、及びＡＬ-ＦＥＣデコーダ４１５を含む。
【００７３】
信号を受信すると、受信器４１１は、予め設定された受信方式により受信信号を処理してチャンネル信号を生成してデマルチプレクサ４１３に出力する。
【００７４】
デマルチプレクサ４１３は、受信器４１１から出力したチャンネル信号を所定の逆多重化方式により逆多重化してＡＬ-ＦＥＣパケットとＡＬ-ＦＥＣ制御情報を検出し、検出したＡＬ-ＦＥＣパケットとＡＬ-ＦＥＣ制御情報をＡＬ-ＦＥＣデコーダ４１５に出力する。逆多重化方式は、ＡＬ-ＦＥＣパケット送信装置に含まれるマルチプレクサ１１５で使用される多重化方式に従って決定される。
【００７５】
ＡＬ-ＦＥＣデコーダ４１５は、ＡＬ-ＦＥＣ制御情報に基づいてＡＬ-ＦＥＣパケットを復号化して情報語ブロックを回復する。図３で説明したように、ＡＬ-ＦＥＣパケットの各々は、ＳＮを含むＡＬ-ＦＥＣヘッダー、あるいはペイロードＩＤ及びＳＮを含むＡＬ-ＦＥＣヘッダーを含み、それによって、ＡＬ-ＦＥＣデコーダ４１５は、ＡＬ-ＦＥＣパケット送信装置からパンクチャリング情報を受信しなくても、正常に情報語ブロックを回復できる。すなわち、ＡＬ-ＦＥＣデコーダ４１５は、ＳＮ、又はペイロードＩＤ及びＳＮを用いてパンクチャリングされたＡＬ-ＦＥＣパケットを検出し、パンクチャリング情報なしに正常に情報語ブロックを回復することができる。
【００７６】
図４では、デマルチプレクサ４１３は、ＡＬ-ＦＥＣパケットとＡＬ-ＦＥＣ制御情報を分離する。しかしながら、ＡＬ-ＦＥＣパケット送信装置が多重化動作を遂行しない場合、デマルチプレクサ４１３が実行されないことは、当業者には理解できることである。図４には、受信器４１１、デマルチプレクサ４１３、及びＡＬ-ＦＥＣデコーダ４１５が別途のユニットとして示されているが、これは、単に説明の便宜のためのものであることはもちろんである。言い換えれば、受信器４１１、デマルチプレクサ４１３、及びＡＬ-ＦＥＣデコーダ４１５は、単一ユニットに組み込まれ得る。
【００７７】
図５は、本発明によるＭＭＴシステムにおけるＡＬ-ＦＥＣパケット送信装置の動作プロセスを示すフローチャートである。
【００７８】
図５を参照すると、ステップ５１１において、ＡＬ-ＦＥＣパケット送信装置は、ｋ個の情報語シンボルを含む情報語ブロックとＡＬ-ＦＥＣ制御情報が入力される。ＡＬ-ＦＥＣパケット送信装置は、ステップ５１３で、ＡＬ-ＦＥＣ制御情報に基づいて情報語ブロックをＡＬ-ＦＥＣ符号化してｎ個のＡＬ-ＦＥＣ符号語シンボルを含むＡＬ-ＦＥＣ符号語ブロックを生成する。ＡＬ-ＦＥＣ符号語ブロックは、ｋ個のＡＬ-ＦＥＣ情報語シンボルとｍ個のＡＬ-ＦＥＣパリティシンボルを含む。
【００７９】
ＡＬ-ＦＥＣパケット送信装置は、ＡＬ-ＦＥＣ符号語ブロックに含まれるｎ個のＡＬ-ＦＥＣ符号語シンボルの各々にＡＬ-ＦＥＣヘッダーを挿入してｎ個のＡＬ-ＦＥＣ符号語パケットを生成し、パンクチャリング情報に従ってｎ個のＡＬ-ＦＥＣ符号語パケットのうち、ｐ個のＡＬ-ＦＥＣ符号語パケットをパンクチャリングしてｎ-ｐ個のＡＬ-ＦＥＣパケットを生成する。ＡＬ-ＦＥＣパケット送信装置は、ステップ５１７で、予め設定された多重化方式により、ｎ-ｐ個のＡＬ-ＦＥＣパケットとＡＬ-ＦＥＣ制御情報を多重化してチャンネル信号を生成する。ＡＬ-ＦＥＣパケット送信装置は、ステップ５１９で、予め設定された送信方式によりチャンネル信号をＡＬ-ＦＥＣパケット受信装置に送信する。
【００８０】
図６は、本発明によるＭＭＴシステムのＡＬ-ＦＥＣパケット受信装置における動作プロセスを示すフローチャートである。
【００８１】
図６を参照すると、ＡＬ-ＦＥＣパケット受信装置は、ステップ６１１で、信号を受信し、受信した信号を予め設定されている受信方式により処理してチャンネル信号を生成する。ＡＬ-ＦＥＣパケット受信装置は、ステップ６１３で、予め設定された逆多重化方式によりチャンネル信号を逆多重化してＡＬ-ＦＥＣパケットとＡＬ-ＦＥＣ制御情報を検出する。ＡＬ-ＦＥＣパケットが受信されたＡＬ-ＦＥＣパケットである場合、受信されたＡＬ-ＦＥＣパケットの最大個数はｎ-ｐであり、チャンネル状態に従って減少できる。
【００８２】
ステップ６１５において、ＡＬ-ＦＥＣパケット受信装置は、ＡＬ-ＦＥＣ制御情報に基づいて受信されたＡＬ-ＦＥＣパケットをＡＬ-ＦＥＣ復号化してｋ個のＡＬ-ＦＥＣ情報語シンボルを含む情報語ブロックを回復する。ＡＬ-ＦＥＣパケット受信装置は、パケット送信装置でから別途にパンクチャリング情報を受信しなくても、ｎ-ｐ個のＡＬ-ＦＥＣパケットの各々が含むＡＬ-ＦＥＣヘッダーに含まれるＳＮを用いて、ｎ個のＡＬ-ＦＥＣパケットのうちパンクチャリングされるＡＬ-ＦＥＣパケットを検出し、正常に情報語ブロックを回復することができる。
【００８３】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００８４】
１１１    ＡＬ-ＦＥＣエンコーダ
１１３    ＡＬ-ＦＥＣパケット生成器
１１５    マルチプレクサ
１１７    送信器
１１９    ＡＬ-ＦＥＣ制御情報生成器
２１１    パリティブロック生成器
２１３    符号語ブロック生成器
３１１    ＡＬ-ＦＥＣヘッダー挿入器
３１３    パンクチャ
３１５    パンクチャリング情報生成器
４１１    受信器
４１３    デマルチプレクサ
４１５    ＡＬ-ＦＥＣデコーダ
【図１】
2014533032.tif 000003
【図２】
2014533032.tif 000004
【図３】
2014533032.tif 000005
【図４】
2014533032.tif 000006
【図５】
2014533032.tif 000007
【図６】
2014533032.tif 000008
【国際調査報告】
2014533032.tif 000009
2014533032.tif 000010